(57)【要約】【課題】アンテナ素子からの不要な放射を抑圧し、所望の無線タグだけから情報を読み取る。【解決手段】本発明の一態様としてのアンテナ装置は、一端を基点としてスパイラル状またはループ状に巻回したアンテナ素子と、前記アンテナ素子の他端に設けられた給電点と、を備え、前記アンテナ素子の前記一端から前記他端までの長さが動作周波数の略２分の１波長であることを特徴とする。【選択図】図１
2009118406.tif 000002
【特許請求の範囲】
【請求項１】
一端を基点としてスパイラル状またはループ状に巻回したアンテナ素子と、
前記アンテナ素子の他端に設けられた給電点と、
を備え、
前記アンテナ素子の前記一端から前記他端までの長さが動作周波数の略２分の１波長であることを
特徴とするアンテナ装置。
【請求項２】
前記給電点を介して前記アンテナ素子に接続された給電線路をさらに備えたことを特徴とする請求項１に記載のアンテナ装置。
【請求項３】
一端を基点としてスパイラル状またはループ状に巻回した第２のアンテナ素子と、
前記第２のアンテナ素子の他端に設けられた第２の給電点と、をさらに備え、
前記第２のアンテナ素子の前記一端から前記他端までの長さが動作周波数の略２分の１波長であり、
前記給電線路は、位相が互いに反転した正相および逆相の信号をそれぞれ伝送する第１の信号線および第２の信号線を含み、
前記第１の信号線は前記給電点を介して前記アンテナ素子に接続され、前記第２の信号線は、前記第２の給電点を介して前記第２のアンテナ素子に接続された、
ことを特徴とする請求項２に記載のアンテナ装置。
【請求項４】
前記給電線路は、差動線路であり、
前記第１の信号線はプラスの信号線、前記第２の信号線はマイナスの信号線、またはこの逆である
ことを特徴とする請求項３に記載のアンテナ装置。
【請求項５】
誘電体基板をさらに備え、
前記差動線路は、前記誘電体基板上に形成された平行線路であることを特徴とする請求項５に記載のアンテナ装置。
【請求項６】
前記平行線路に含まれる前記第１および第２の信号線同士を接続する抵抗素子をさらに備え、
前記第１および第２の信号線はそれぞれ直線状に形成され、
前記アンテナ素子は前記給電点を介して前記第１の信号線の途中に接続され、
前記第２のアンテナ素子は前記第２の給電点を介して前記第２の信号線の途中に接続され、
前記抵抗素子は、前記第１の信号線の一端と前記第1の給電点との間における信号線部分と、前記第1の信号線の一端と同一方向を向く前記第２の信号線の一端と前記第２の給電点との間における信号線部分との間を接続する
ことを特徴とする請求項５に記載のアンテナ装置。
【請求項７】
前記給電線路は、同軸線路であり、
前記第１の信号線は外導体、前記第２の信号線は内導体、またはこの逆であることを特徴とする請求項３に記載のアンテナ装置。
【請求項８】
前記第１および第２の給電点の少なくとも一方で反射した電力を消費するための抵抗素子をさらに備え、
前記同軸線路の内導体は、前記内導体と接続される給電点を起点として動作周波数の略１／４波長だけ折り返され、折り返された先端は前記抵抗素子を介して前記外導体に接続されたことを特徴とする請求項７に記載のアンテナ装置。
【請求項９】
前記給電線路は、マイクロストリップ線路であり、
前記第１の信号線は信号線であり、前記第２の信号線はグランド線、またはこの逆である
ことを特徴とする請求項３に記載のアンテナ装置。
【請求項１０】
前記アンテナ素子および前記第２のアンテナ素子は、略同一平面上に形成され、前記アンテナ素子の巻回方向は、前記第２のアンテナ素子の巻回方向と逆回りであることを特徴とする請求項４ないし１０のいずれか一項に記載のアンテナ装置。
【請求項１１】
前記アンテナ素子と前記第２のアンテナ素子とは前記第１の信号線または前記第２の信号線を対称軸として、略線対称に配置されたことを特徴とする請求項４ないし１１のいずれか一項に記載のアンテナ装置。
【請求項１２】
無線タグに書き込まれた情報を読み取る無線タグ読み取り装置であって、
請求項１ないし１２のいずれか一項に記載のアンテナ装置と、
前記アンテナ装置を介して前記無線タグと信号の送受信を行う送受信手段を有した読み取り器と、
を備えた無線タグ読み取り装置。
【請求項１３】
無線タグに書き込まれた情報を元に物品の管理を行う物品管理システムであって、
請求項１ないし１２のいずれか一項に記載のアンテナ装置と、
前記アンテナ装置を介して前記無線タグと信号の送受信を行う送受信手段を有した読み取り器と、
前記無線タグを有する物品と、
を備えたことを特徴とする物品管理システム。
【発明の詳細な説明】
【技術分野】
【０００１】
本発明は、無線タグと通信するアンテナ装置、無線タグ読み取り装置、物品管理システムに関し、たとえば互いに近接した複数の無線タグからタグ情報を一括して読み取るアンテナ装置に関する
【背景技術】
【０００２】
従来の無線タグ読取装置用のアンテナとしては、パッチアンテナ等のアンテナが用いるのが一般的である（例えば特許文献１参照）。特許文献１に記載の無線タグ読取システムでは、無線タグの数が多いとき、無線タグを並べられた状態にし、アンテナの放射領域の所定電力密度の部分だけでこれらの無線タグを読み取るようにしている。たとえば、封筒に無線タグを貼り付け、それら複数の封筒を束ねて保管箱に入れることにより、保管箱内で複数の無線タグが並べられた状態にする。そして、この保管箱を上記読取装置に対してセットし、読取装置内部に設けられたアンテナの上記所定電力密度の部分で複数の無線タグに記録されている情報を読み取る。
【特許文献１】特開2005-167416号公報
【発明の開示】
【発明が解決しようとする課題】
【０００３】
しかしながら、上記した特許文献１に記載の従来技術においては、アンテナから常に電波が放射しているため、複数の無線タグ読取装置が同時に動作している時に干渉が起こり易い問題があった。また、反射波の影響で、読み取りの出来ない場所が発生し、また読み取りの必要のない無線タグを読み取ってしまう問題もあった。
【０００４】
本発明は、アンテナ素子からの不要な放射を抑圧し、所望の無線タグだけから情報を読み取ることを可能としたアンテナ装置、無線タグ読み取り装置および物品管理システムを提供する。
【課題を解決するための手段】
【０００５】
本発明の一態様としてのアンテナ装置は、
一端を基点としてスパイラル状またはループ状に巻回したアンテナ素子と、
前記アンテナ素子の他端に設けられた給電点と、
を備え、
前記アンテナ素子の前記一端から前記他端までの長さが動作周波数の略２分の１波長であることを
特徴とする。
【０００６】
無線タグに書き込まれた情報を読み取る無線タグ読み取り装置であって、
前記アンテナ装置と、
前記アンテナ装置を介して前記無線タグと信号の送受信を行う送受信手段を有した読み取り器と、
を備える。
【０００７】
本発明の一態様としての物品管理システムは、
無線タグに書き込まれた情報を元に物品の管理を行う物品管理システムであって、
請求項１ないし１２のいずれか一項に記載のアンテナ装置と、
前記アンテナ装置を介して前記無線タグと信号の送受信を行う送受信手段を有した読み取り器と、
前記無線タグを有する物品と、
を備える。
【発明の効果】
【０００８】
本発明により、アンテナ素子からの不要な放射を抑圧し、所望の無線タグだけから情報を読み取ることが可能となる。
【発明を実施するための最良の形態】
【０００９】
以下、図面を参照しながら本発明の実施の形態について詳細に説明する。
【００１０】
図１（Ａ）および図１（Ｂ）は本発明の第１の実施の形態に係るアンテナ装置を示す図である。
【００１１】
図１（Ａ）のアンテナ装置は、線状導体をその一端を基点としてスパイラル状に巻回したアンテナ素子１０１と、アンテナ素子１０１の上記一端から動作周波数の略２分の１波長の位置に設けられた給電点１０５とを有する。ここでは線状導体の長さは動作周波数の略２分の１波長であり、給電点１０５は線状導体の他端に設けられている。図１（Ａ）では、線状導体を矩形状に巻回する例を示したが、これは一例であり、たとえば円状または三角状など他の形状に線状導体を巻回してスパイラル状アンテナ素子を形成してもよい。
【００１２】
図１（Ｂ）のアンテナ装置は、線状導体をその一端を基点としてループ状に巻回したアンテナ素子１０２と、アンテナ素子１０２の上記一端から動作周波数の略２分の１波長の位置に設けられた給電点１０５とを有する。ここでは線状導体の長さは動作周波数の略２分の１波長であり、給電点１０５は線状導体の他端に設けられている。図１（Ｂ）では、線状導体を矩形状に巻回する例を示したが、これは一例であり、たとえば円状または三角状など他の形状に線状導体を巻回してループ状アンテナ素子を形成してもよい。
【００１３】
図１（Ｃ）は、図１（Ａ）のスパイラル状アンテナ素子、または図１（Ｂ）のループ状アンテナ素子上の電流振幅分布を示す図である。ただし、わかりやすくするために、スパイラルまたはループをまっすぐに伸ばした状態を示している。図示の通り、動作周波数では、1/2波長の長さの素子の中央を腹として電流が流れるため、給電点１０５では電流が最小となり、給電点１０５におけるインピーダンスが非常に高くなる。したがって、給電点１０５からアンテナ素子側への電流はほとんど流れ込まない。
【００１４】
図２は、本発明の第１の実施の形態に係るアンテナ装置を無線タグに接近させた際の動作を説明する図である。ここでは図１（Ａ）に示したスパイラル状のアンテナ装置を例として用いて説明を行うが、ループ状のアンテナ装置を用いた場合も同様の動作が得られる。
【００１５】
図２（Ａ）は、アンテナ装置が無線タグの近傍に配置されていないときの状態を示す。この状態では、図１（Ｃ）を用いて説明したように、スパイラル状アンテナ素子１０１には電流がほとんど流れない。
【００１６】
図２（Ｂ）は、アンテナ装置を、ＩＣチップ２０２とタグアンテナ２０３とを備えた無線タグ２０１に近接させたときの状態を示す。タグアンテナ２０３の存在する面と、アンテナ装置が存在する面とが平行になるように近接させている。無線タグ２０１に近接したとき、アンテナ素子１０１とタグアンテナ２０３との結合によって、スパイラル状アンテナ素子１０１のインピーダンスが給電点２０２から下がって見え、その結果、スパイラル状アンテナ素子１０１に電流が流れ込む。
【００１７】
このようにスパイラル状アンテナ素子１０１上に電流が流れ込むと、図２（Ｃ）に示すように、スパイラル状アンテナ素子１０１の面に垂直な方向（ここでは紙面手前方向）に磁界が発生し、この磁界によりスパイラル状アンテナ素子１０１とタグアンテナ２０３とが磁界結合する。この結果、タグアンテナ２０３上に電流が流れてＩＣチップ２０２が起動し、無線タグ２０１との通信が可能となる。図中、破線矢印が電流を示し、一点鎖線が磁界を示す。
【００１８】
以上のように本実施の形態に係わるアンテナ装置によれば、無線タグの非読み取り時には、アンテナ素子からほとんど電波が放射されず、また無線タグの読み取り時には近傍の無線タグとのみ結合して通信するため、他の無線タグ読取装置との干渉を起こすことなく、読み取りを行うことができる。
【００１９】
また、本実施の形態に係わるアンテナ装置によれば、近傍の無線タグとのみ結合して通信を行うため、所望の無線タグからのみ情報を読み取ることができる。すなわち、従来技術では、アンテナから放射された電波が天井や床などで反射して、非所望の無線タグを読み取ってしまう場合がある。たとえば、棚がたくさん並んでいる書庫の中では、電波が反射して、目的の棚と対向する棚の無線タグを読み取ってしまうことがある。しかしながら、本実施の形態では、上述したように近傍の無線タグとのみ結合して通信を行うため、このような問題は生じない。
【００２０】
その他、本実施の形態に係わるアンテナ装置によれば、複数の無線タグと同時に通信して複数のタグ情報を一括して読み取ることができる。
【００２１】
図３は、本発明の第２の実施の形態に係るアンテナ装置を示す図である。
【００２２】
スパイラル状アンテナ素子３０１、３０２の他端が、それぞれ差動線路（給電線路）３０３に給電部３０４を介して接続されている。差動線路３０３は、位相が互いに反転した正相および逆相の信号をそれぞれ伝送するプラス信号線３０３ａおよびマイナス信号線３０３ｂを有する。給電部３０４は、アンテナ素子３０１とプラス信号線３０３ａとの接続部に相当する第１の給電点と、アンテナ素子３０２とマイナス信号線３０３ｂとの接続部に相当する第２の給電点とを含む。すなわちプラス信号線３０３ａの一端は第１の給電点を介してアンテナ素子３０１の他端に接続され、マイナス信号線３０３ｂの一端は、第２の給電点を介してアンテナ素子３０２の他端に接続されている。図中矢印は電流の向きの一例を示している。プラス信号線３０３ａはたとえば第１の信号線、マイナス信号線３０３ｂが第２の信号線に相当する。あるいはこの逆でもよい。プラス信号線３０３ａの他端およびマイナス信号線３０３ｂの他端にはたとえば高周波の差動信号を処理する無線部が接続される。
【００２３】
アンテナ素子３０１、３０２は略同一平面上に形成され、アンテナ素子３０１の巻回方向は、アンテナ素子３０２の巻回方向と逆回りである。また、アンテナ素子３０１、３０２はそれぞれ略線対称に配置され、線対称の略中心線上に給電部３０４が位置している。あるいは、アンテナ素子３０１、３０２は第１の信号線または第２の信号線を対称軸として、略線対称に配置されている。アンテナ素子３０１、３０２をそれぞれ互いに逆方向に巻回しかつ線対称に配置することにより、各アンテナ素子から発生する磁界の向きおよび大きさがそろい、無線タグとの効率的な通信が可能となる。
【００２４】
すなわち、動作時におけるアンテナ素子の電流および磁界の向きを示す図４（Ｂ）のように、２つのアンテナ素子を互いに逆方向に巻回すると（なお図３とは反対の方向に巻回している）、各アンテナ素子で発生する磁界の向きがそろう。したがって無線タグの読み取り時は、各アンテナ素子で発生する磁界の向きは、図４（Ａ）に示すようなタグアンテナで発生する磁界の向きと一致し、これにより効率的な通信が可能となる。さらに各アンテナ素子を略線対称に配置することで、各アンテナ素子の磁界の大きさが揃いやすくなり、これにより一層効率的な通信が可能になる。
【００２５】
図５は、本発明の第３の実施の形態に係るアンテナ装置を示す図である。
【００２６】
スパイラル状アンテナ素子４０１、４０２の他端を、同軸線路の外導体４０４と、同軸線路（給電線路）４０５から引き出した内導体４０３とに給電部４０７を介して接続している。給電部４０７は、アンテナ素子４０１と同軸線路４０５（ここでは外導体４０４）との接続部に相当する第１の給電点と、アンテナ素子４０２と同軸線路４０５（ここでは内導体４０３）との接続部に相当する第２の給電点とを含む。コネクタ４０６は同軸線路４０５を無線機に接続するためのものである。同軸線路４０５は、位相が互いに反転した正相および逆相の信号をそれぞれ伝送する第１の信号線および第２の信号線を有し、第１の信号線がたとえば外導体４０４、第２の信号線が内導体４０３に相当する。あるいはこの逆でもよい。
【００２７】
図３のアンテナ装置と同様、アンテナ素子４０１、４０２は略同一平面上に形成され、アンテナ素子４０１の巻回方向は、アンテナ素子４０２の巻回方向と逆回りである。また、アンテナ素子４０１、４０２はそれぞれ略線対称に配置され、線対称の中心線上に給電部４０７が設けられている。あるいは、アンテナ素子４０１、４０２は第１の信号線または第２の信号線を対称軸として、略線対称に配置されている。
【００２８】
動作時、それぞれのスパイラル状アンテナ素子４０１、４０２からは同程度の磁界が同じ方向に発生し、両方のアンテナ素子により無線タグと通信できるため、効率的な通信が可能となる。
【００２９】
図６は、図５のアンテナ装置の変形例を示す図である。
【００３０】
同軸線路４０５から引き出した内導体４０３をその給電点から略１／４波長程度折り返して、その先端を外導体４０４に接続している。このように内導体４０３の略１／４波長程度折り返して外導体４０４に接続することでバランの機能をアンテナ装置に付加できる。
【００３１】
また、折り返した先端を、給電線路の特性インピーダンスと略同じインピーダンス値をもつ抵抗素子４０８を介して外導体４０４に接続している。アンテナ装置が無線タグと結合していない時は、同軸線路４０５の先端（給電部付近）で電力が全反射されるが、この電力を抵抗素子４０８により消費させることで、Ｒ／Ｗ（Reader/Writer）装置への電力の反射を抑圧して、Ｒ／Ｗ装置の負荷を減らすことができる。
【００３２】
図７は、本発明の第４の実施の形態に係るアンテナ装置を示す平面図である。図８は図７のアンテナ装置の斜視図である。
【００３３】
誘電体基板６０３上に、信号線６０４ａ、６０４ｂを含む平行線路（給電線路）６０４が形成され、信号線６０４ａ、６０４ｂにスパイラル状アンテナ素子６０１、６０２の他端を、給電部６０５を介して接続している。給電部６０５は、アンテナ素子６０１と平行線路６０４（ここでは信号線６０４ａ）との接続部に相当する第１の給電点と、アンテナ素子６０２と平行線路６０４（ここでは信号線６０４ｂ）との接続部に相当する第２の給電点とを含む。平行線路６０４は差動線路であり、信号線６０４ａ、６０４ｂの一端（アンテナ素子が接続された側と反対側）は、無線機の差動端子に接続される。信号線６０４ａ、６０４ｂには、位相が互いに反転した正相および逆相の信号を流される。
【００３４】
図３のアンテナ装置と同様、アンテナ素子６０１、６０２は略同一平面上に形成され、アンテナ素子６０１の巻回方向は、アンテナ素子６０２の巻回方向と逆回りである。また、アンテナ素子６０１、６０２はそれぞれ略線対称に配置され、給電部６０５は、線対称の中心線上に設けられている。あるいは、アンテナ素子６０１、６０２は第１の信号線または第２の信号線を対称軸として、略線対称に配置されている。
【００３５】
動作時、それぞれのスパイラル状アンテナ素子６０１、６０２からは同程度の磁界が同じ向きに発生し、両方のアンテナ素子により無線タグと通信できるため、効率的な通信が可能となる。
【００３６】
図９は、図７のアンテナ装置の変形例を示す平面図である。
【００３７】
平行線路６０４の一端において、信号線６０４ａ、６０４ｂ間を、当該線路６０４の特性インピーダンスと略同じインピーダンス値の抵抗素子６０６により接続している。無線タグと結合していない時は、線路６０４の先端で電力が全反射されるが、この反射電力を抵抗素子６０６で消費させることにより、Ｒ／Ｗ装置への電力の反射を抑圧し、Ｒ／Ｗ装置の負荷を減らすことができる。図９の例では、抵抗素子６０６を平行線路６０４の一端に設けたが、給電点と当該一端との間であれば、任意の箇所に設けることが可能である。なお、平行線路６０４の他端には、無線機の差動端子が接続される。
【００３８】
図１０は、本発明の第５の実施の形態に係るアンテナ装置を示し、図１０（Ａ）は平面図、図１０（Ｂ）は底面図である。図１１は、図１０のアンテナ装置の斜視図であり、図１１（Ａ）が表側方向から見た図、図１１（Ｂ）は裏側方向から見た図である。
【００３９】
本実施形態では給電線路を、グランド板７０５と、誘電体基板７０３と、信号線７０４とを含むマイクロストリップ線路により構成している。マイクロストリップ線路は、位相が互いに反転した正相および逆相の信号をそれぞれ伝送する第１の信号線および第２の信号線を有し、第１の信号線がたとえば信号線７０４、第２の信号線がグランド板７０５に相当する。すなわち、逆相の信号は、このグランド板７０５を伝播する。ここでは、逆相の信号が伝送するグランド板７０５をグランド線と称する。なお、第１の信号線がグランド板７０５、第２の信号線が信号線７０４であってもよい。
【００４０】
スパイラル状アンテナ素子７０１、７０２の他端はそれぞれ誘電体基板７０３の表面および裏面に配置されている。表面ではスパイラル状アンテナ素子７０１の他端が信号線７０４と接続され、裏面ではスパイラル状アンテナ素子７０２の他端がグランド板７０５と接続されている。グランド板７０５は、誘電体基板７０３の裏面の一部領域に形成され、グランド板７０５が形成されていない領域にアンテナ素子７０２が配置されている。マイクロストリップ線路と、アンテナ素子７０１、７０２との接続部はたとえば給電部７０６に相当する（図１０（Ａ）参照）。給電部７０６は、アンテナ素子７０１とマイクロストリップ線路（ここでは信号線７０４）との接続部に相当する第１の給電点と、アンテナ素子７０２とマイクロストリップ線路（ここではグランド板７０５）との接続部に相当する第２の給電点とを含む。
【００４１】
アンテナ素子７０１、７０２を平面的に見たとき、アンテナ素子７０１の巻回方向は、アンテナ素子７０２の巻回方向と逆回りである。また、アンテナ素子７０１、７０２は平面的に見て略線対称に配置され、線対称の中心線上に給電部７０６が設けられている。あるいは、アンテナ素子７０１、７０２は第１の信号線または第２の信号線を対称軸として、略線対称に配置されている。
【００４２】
動作時、それぞれのスパイラル状アンテナ素子７０１、７０２からは同程度の磁界が同じ向きに発生し、両方のアンテナ素子により無線タグと通信できるため、効率的な通信が可能となる。
【００４３】
図１２は、本発明の第６の実施の形態に係るアンテナ装置を示し、図１２（Ａ）は平面図、図１２（Ｂ）は底面図である。図１３は、図１２のアンテナ装置の斜視図であり、図１３（Ａ）が表側方向から見た図、図１３（Ｂ）は裏側方向から見た図である。
【００４４】
本実施の形態が第５の実施の形態と異なる点は、２つのスパイラル状アンテナ素子８０１、８０２が誘電体基板８０３の同一面（表面）に形成され、一方のアンテナ素子８０１は信号線８０４に、他方のアンテナ素子８０２は、誘電体基板８０３に形成したスルーホール８０７を介してグランド板８０５に接続したことにある。その他の点および本実施の形態の効果については第５の実施の形態と同一であるためそれらの詳細な説明は省略する。
【００４５】
図１４（Ａ）〜図１４（Ｄ）は、これまでに説明したアンテナ装置と通信可能な、一般的な無線タグの例を示している。図１４（Ａ）〜図１４（Ｄ）に示す各無線タグは、ＩＣチップ９０２、９１２、９２２、９３２と、タグアンテナ９０１、９１１、９２１、９３１とを備えている。図中の点線矢印は電流を表している。
【００４６】
ＨＦ（High Frequency）帯などの低い周波数帯を使用する無線タグは、スパイラル状やループ状のタグアンテナを用いて、無線タグ読み取り装置のアンテナと誘導界の結合により通信を行うことが多い。一方、ＵＨＦ(Ultra-High Frequency)帯やマイクロ波帯を使用する無線タグは、タグアンテナとしてダイポールアンテナまたはループアンテナなどを用いて電波を放射することにより、放射界の結合でタグ読み取り装置のアンテナと通信を行うことが多い。
【００４７】
無線タグのタグアンテナが、前者のような磁界型でなく、後者のような電波放射型であっても、容量性のインピーダンスを持つタグＩＣとの整合を取るために、図１４（Ｃ）のように、ループ形状の短絡部を有していたり、図１４（Ｄ）のように、小形化のために先端を折り曲げた輪形状を有していたりする場合が多い。したがって、後者のタイプの無線タグであっても、本発明のアンテナ装置を用いて、近傍磁界結合で通信を行うことが可能である。
【００４８】
図１５は、本発明の一実施の形態に係る無線タグ読み取り装置を示す図である。
【００４９】
無線タグ読み取り装置１０００は、本発明の一実施の形態としてのアンテナ装置１００１と、Ｒ／Ｗ部１００３とを備える。アンテナ装置１００１としてはたとえば上述した第１〜第６の実施の形態またはその変形例を用いることができる。無線タグ読み取り装置１０００はタグ情報を管理するコンピュータ（PC：Personal Computer）１００７と接続されており、無線タグ読み取り装置１０００とPC１００７とは書類管理装置１００６を成している。
【００５０】
無線タグ読み取り装置１０００におけるＲ／Ｗ部１００３は、アンテナ装置１００１を介して無線タグ１００２＿１、１００２＿２、・・・、１００２＿ｎから読み取ったタグ情報をPC１００７へ出力し、またＰＣ１００７から受け取ったタグ情報を無線タグ１００２＿１、１００２＿２、・・・、１００２＿ｎに書き込む。
【００５１】
このような無線タグ読み取り装置は、複数の物品にそれぞれ無線タグを貼り付等して、物品管理を行うシステム、例えば、書類管理システム等に応用することが可能である。
【００５２】
図１６は、本発明の一実施の形態としての物品管理システムの例を示す図である。ここでは物品管理システムの例として、書類管理システムの例を示す。
【００５３】
この物品管理システムは、それぞれ無線タグ１００２−１，１００２−２，・・・，１００２−ｎを貼り付けられた複数の書類１００８−１，１００８−２，・・・，１００８−ｎと、各書類１００８−１，１００８−２，・・・，１００８−ｎを管理する書類管理装置１００６と、を備える。
【００５４】
書類管理装置１００６は、ＰＣ１００７と、Ｒ／Ｗ部１００３と、ＰＣ１００７およびＲ／Ｗ部１００３間を接続するケーブル１００５と、アンテナ装置１０１１と、給電線１０１２とを有する。書類管理装置１００６が、複数の書類１００８−１，１００８−２，・・・，１００８−ｎに貼り付けられた無線タグ１００２−１，１００２−２，・・・，１００２−ｎとの間で情報の読み書きを行うことで、各書類１００８−１，１００８−２，・・・，１００８−ｎの管理を行う。
【００５５】
無線タグ１００２−１，１００２−２，・・・，１００２−ｎには、タグ情報として、各無線タグ固有のＩＤや、書類のタイトルなどの書類情報が書き込まれている。書類管理装置１００６は、無線タグ１００２−１，１００２−２，・・・，１００２−ｎに書き込まれた書類情報を読み取り、読み取った書類情報を元に書類の管理を行う。また、例えば新たな書類を追加する、または書類情報を書き換える場合などは、新たな書類情報を無線タグ１００２−１，１００２−２，・・・，１００２−ｎに書き込む。
【００５６】
図１７は、本発明の実施の形態に係る物品管理システム（ここでは書類管理システム）の別の例を示す図である。
【００５７】
この書類管理システムは、書類を収納する棚１２０１に設けられている。各アンテナ装置１０１１は、各ブックエンドに備え付けられており、それぞれのアンテナ装置１０１１は給電線路１０１２（ここでは同軸ケーブルと想定する）を介して、棚の上部に設けられたＲ／Ｗ部１００３へ接続されている。
【００５８】
Ｒ／Ｗ部１００３は、書類を管理するＰＣ（図１７では図示せず）と接続されており、アンテナ装置１０１１を介して、書類１００８に埋め込まれた無線タグから受信した書類情報をＰＣへ出力する。Ｒ／Ｗ部は棚の上部に設置される必要はなく、側面や下部などに設置してもよい。
【００５９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６０】
【図１】本発明の第１の実施の形態に係るアンテナ装置を示す図。
【図２】本発明の第１の実施の形態に係るアンテナ装置の動作を説明する図。
【図３】本発明の第２の実施の形態に係るアンテナ装置を示す図。
【図４】アンテナ素子の電流および磁界の向きを説明する図。
【図５】本発明の第３の実施の形態に係るアンテナ装置を示す図。
【図６】図５のアンテナ装置の変形例を示す図。
【図７】本発明の第４の実施の形態に係るアンテナ装置を示す平面図。
【図８】図７のアンテナ装置の斜視図。
【図９】図７のアンテナ装置の変形例を示す平面図。
【図１０】本発明の第５の実施の形態に係るアンテナ装置を示す図。
【図１１】図１０のアンテナ装置の斜視図。
【図１２】本発明の第６の実施の形態に係るアンテナ装置を示す図。
【図１３】図１２のアンテナ装置の斜視図。
【図１４】一般的な無線タグの例を示す図。
【図１５】本発明の一実施の形態に係る無線タグ読み取り装置を示す図。
【図１６】本発明の一実施の形態としての物品管理システムの例を示す図。
【図１７】本発明の実施の形態に係る書類管理システムの別の例を示す図。
【符号の説明】
【００６１】
１０１、３０１、３０２、４０１、４０２、６０１、６０２、７０１、７０２、８０１、８０２：スパイラル状アンテナ素子
１０２：ループ状アンテナ素子
１０５、３０４、４０７、６０５、７０６、８０６：給電点あるいは給電部
２０１：無線タグ
２０２、９０２、９１２、９２２、９３２：ＩＣチップ
２０３、９０１、９１１、９２１、９３１：タグアンテナ
３０４：差動線路（給電線路）
４０５：同軸線路（給電線路）
４０３：内導体
４０４：外導体
４０６：コネクタ
４０８、６０６：抵抗素子
６０３、７０３、８０３：誘電体基板
６０４：平行線路
６０４ａ、６０４ｂ：差動の信号線
７０５、８０５：グランド板
７０４、８０４：信号線
８０７：スルーホール
１０００：書類管理装置（物品管理装置）
１００１、１０１１：アンテナ装置
１００２＿１〜１００２＿ｎ：無線タグ
１００３：Ｒ／Ｗ部
１００５：ケーブル
１００７：ＰＣ
１００８−１〜１００８−ｎ：書類
１０１２：給電線路
１２０１：棚
【図１】
2009118406.tif 000003
【図２】
2009118406.tif 000004
【図３】
2009118406.tif 000005
【図４】
2009118406.tif 000006
【図５】
2009118406.tif 000007
【図６】
2009118406.tif 000008
【図７】
2009118406.tif 000009
【図８】
2009118406.tif 000010
【図９】
2009118406.tif 000011
【図１０】
2009118406.tif 000012
【図１１】
2009118406.tif 000013
【図１２】
2009118406.tif 000014
【図１３】
2009118406.tif 000015
【図１４】
2009118406.tif 000016
【図１５】
2009118406.tif 000017
【図１６】
2009118406.tif 000018
【図１７】
2009118406.tif 000019